(57)【特許請求の範囲】
【請求項１】
架台が円形又は角形のフレームと該フレームを水平に支持する支柱とで構成され、貯槽の底部が逆円錐台状又は逆角錐台状に形成され、上記貯槽の底部の上部又は底部の上方に続く筒状胴部を架台のフレームで受ける一方、上記貯槽内に粉状物又は粒状物が貯蔵され、上記貯槽底部の下端に貯蔵物の排出口が形成される構造のサイロにおいて、
上記貯槽底部（１１Ａ）の外壁面に貼り付けられ、上記貯槽（１１）内の貯蔵物の重さを上記底部（１１Ａ）外壁面の歪みの大きさとして検出する１又は複数の薄板状フルブリッジ型又は薄板状ハーフブリッジ型の歪みゲージ（１５）と、
上記歪みゲージ（１５）の信号を受けて、上記貯槽（１１）の底部（１１Ａ）外壁面の歪みの大きさと、予め求められた上記貯槽底部（１１Ａ）の外壁面の歪みの大きさと上記貯槽（１１）内貯蔵物の量との対応関係とから上記貯槽（１１）内の貯蔵物の量を演算する演算装置と、
を備えたことを特徴とするサイロ計量装置。
【請求項２】
上記歪みゲージ近傍の温度を検出する薄形測温抵抗体又は薄形熱電対の温度センサーをさらに備え、上記演算装置が上記温度センサーの出力を受けて上記歪みゲージの出力を温度補償する機能を有する請求項１記載のサイロ計量装置。
【発明の詳細な説明】
【技術分野】
【０００１】
この発明はサイロ計量装置に関し、例えばサイロ貯槽に貯蔵された消石灰や生石灰の量を正確に計量できるようにした装置に関する。
【背景技術】
【０００２】
ごみ焼却炉から排ガスにはダイオキシン類などの有機ハロゲン化合物が含まれることが懸念されている。この有機ハロゲン化合物は排ガス中に存在するＨＣｌが原因となって、煙道での冷却過程で生成することが知られている。これに対し、ごみ焼却炉や排ガスフィルターに消石灰や生石灰に代表されるアルカリ系薬剤を投入し噴霧することによって、排ガス中のＨＣｌを減少させ、有機ハロゲン化合物の生成を抑制し軽減する方法が提案されている（特許文献１）。
【０００３】
ところで、消石灰や生石灰をごみ焼却炉や排ガスフィルターに投入し噴霧する場合、サイロの貯槽に貯蔵されている消石灰や生石灰の量を正確に、例えば目量１００ｋｇ程度で管理する必要がある。
【０００４】
従来のサイロ計量装置には、羽根車式のレベル計をサイロの貯槽側壁の異なる高さに突設して貯蔵量を計量する方式、貯槽上部に超音波式のレベル計を設置し、貯蔵物表面からの超音波の戻りの時間を測定して貯蔵量を計量する方式、貯槽下側にロードセルを設置し、ロードセルにかかる荷重を検出して貯蔵量を計量する方式などがあった。
【０００５】
しかし、羽根車方式では、貯槽内が実質的に空であるのにもかかわらず、貯槽内壁面に消石灰や生石灰が付着し、付着した高さまで貯蔵量があると誤って計量するおそれがあった。
【０００６】
また、超音波方式では、貯槽が縦長となっている構造上、側壁面によって超音波が散乱され、消石灰や生石灰の表面が平坦でないと正確な計量がし難く、誤って計量するおそれがある。
【０００７】
他方、ロードセル方式では、貯槽全体の重さをロードセルで計量して貯蔵量を求めているので、絶対量の計量が可能ではあるものの、貯槽内の消石灰や生石灰の重さが数トンから数十トンになることから、大型で高価なロードセルが必要となるばかりでなく、設置作業が大がかりとなって、設備投資が嵩む。
【０００８】
これに対し、サイロの貯槽を受ける架台に歪みゲージを貼り付け、歪みゲージによって貯槽内の消石灰や生石灰の重さを求め、貯蔵量を計量するようにしたサイロ計量装置が提案されている（特許文献２）。
【先行技術文献】
【特許文献】
【０００９】
【特許文献１】特開２００１−２８６７２６号公報
【特許文献２】特開２００３−２４０６２３号公報
【発明の開示】
【発明が解決しようとする課題】
【００１０】
しかし、特許文献２記載のサイロ計量装置では、架台は重量物である貯槽を受ける必要があるので、高強度の構造体に製作されており、貯槽内の消石灰や生石灰の重さを受けても歪みが非常に小さく、貯蔵量をほとんど計量できなかった。
【００１１】
本発明はかかる問題点に鑑み、貯槽内の消石灰や生石灰などの貯蔵量を正確に計量できるようにしたサイロ計量装置を提供することを課題とする。
【課題を解決するための手段】
【００１２】
そこで、本発明に係るサイロ計量装置は、架台が円形又は角形のフレームと該フレームを水平に支持する支柱とで構成され、貯槽の底部が逆円錐台状又は逆角錐台状に形成され、上記貯槽の底部の上部又は底部の上方に続く筒状胴部を架台のフレームで受ける一方、上記貯槽内に粉状物又は粒状物が貯蔵され、上記貯槽底部の下端に貯蔵物の排出口が形成される構造のサイロにおいて、上記貯槽底部の外壁面に貼り付けられ、上記貯槽内の貯蔵物の重さを上記底部外壁面の歪の大きさとして検出する１又は複数の歪みゲージと、上記歪みゲージの信号を受けて、上記貯槽の底部外壁面の歪みの大きさと、予め求められた上記貯槽底部の外壁面の歪みの大きさと上記貯槽内貯蔵物の量との対応関係とから上記貯槽内の貯蔵物の量を演算する演算装置と、を備えたことを特徴とする。
【００１３】
本発明の主たる特徴は逆円錐台状又は逆角錐台状の貯槽底部の外壁面に歪みゲージを貼り付け、貯蔵物の重さに対応する歪の大きさを求め、例えば関数やマップを用いて貯蔵物の量を演算するようにした点にある。
【００１４】
これにより、貯槽底部の外壁面が貯蔵物の重さを受けて歪み、それが歪みゲージによって検出されるが、貯槽底部の歪みの大きさは貯蔵物の重さに対して直線的に対応し、高強度構造の架台が貯槽貯蔵物の重さを受けて歪む場合に比較して大きく、貯蔵物の量を正確に計量することができる。
【００１５】
ごみ焼却炉や排ガスフィルターの高熱の影響を受けて歪みゲージの温度変化が大きく、歪みゲージの検出誤差が懸念される場合には歪みゲージの雰囲気温度を検出して温度補償をするのが好ましい。
【００１６】
歪みゲージの高い検出精度を得るためには薄板状フルブリッジ型又は薄板状ハーフブリッジ型の歪みゲージを用いるのがよい。また、温度センサーは薄形測温抵抗体又は薄形熱電対を用いることができる。
【００１７】
架台は３本又は４本の支柱と円形又は角形のフレームで構成するのが好ましく、貯槽はその胴部を架台のフレームで受けるのが好ましい。
【図面の簡単な説明】
【００１８】
【図１】本発明に係るサイロ計量装置の好ましい実施形態におけるサイロを示す概略側面図である。
【図２】上記サイロを示す平面構成図である。
【図３】上記サイロを示す要部拡大図である。
【図４】上記実施形態において用いられる歪みセンサーの例を示す図である。
【図５】上記実施形態における演算系を示す機能ブロック図である。
【図６】上記実施形態が適用される焼却装置を示す全体構成図である。
【図７】第２の実施形態を示す図である。
【発明を実施するための形態】
【００１９】
以下、本発明を図面に示す具体例に基づいて詳細に説明する。図１ないし図５は本発明に係るサイロ計量装置の好ましい実施形態を示す。図において、サイロ１０は貯槽１１と架台１２とから構成され、貯槽１１は逆円錐台状の底部１１Ａと底部１１Ａの上方に連続する円筒状の胴部１１Ｂとから構成され、貯槽１１内には消石灰（又は生石灰）が貯蔵され、貯槽１１の底部１１Ａの下端には排出口１１Ｃが形成されている。
【００２０】
他方、架台１２は矩形状のフレーム１２Ａの四隅に支柱１２Ｂを固定してフレーム１２Ａを水平に支持して構成され、貯槽１１の底部１１Ａと胴部１１Ｂの境界付近には取付けブラケット１１Ｄが固定され、取付けブラケット１１Ｄはフレーム１２Ａに固定され、これによって貯槽１１の底部１１Ａと胴部１１Ｂの境界部分が架台１２のフレーム１２Ａに受けられるようになっている。
【００２１】
また、貯槽１１の底部１１Ａの外壁面には歪みセンサー１５及び温度センサー１６の１組又は複数組が近接して貼り付けられ、歪みセンサー１５には図４の（ａ）に示される薄板状フルブリッジ型又は図４の（ｂ）に示される薄板状ハーフブリッジ型の歪みセンサーが用いられ、温度センサー１６は薄型の熱電対や測温抵抗体が用いられ、歪みセンサー１５及び温度センサー１６はともに密閉構造の治具によって密閉されている。
【００２２】
図５は本実施形態における演算系の構成例を示し、これは４組の歪みセンサーと温度センサーを用いた例を示す。図において、１００Ａ〜１００Ｄは歪みゲージ、１０１Ａ〜１０１Ｄは温度センサー、１０２Ａ〜１０２Ｄは歪みセンサー１００Ａ〜１００Ｄの信号をＡＤ変換するロードセルアンプＡＤ変換基盤、１０４は基準電圧を発生するとともに、温度センサー１０１Ａ〜１０１Ｄの信号をＡＤ変換して出力レベルに変換して出力する基準電圧発生回路、１０３は変換基盤１０２Ａ〜１０２Ｄの信号ＰＩＯをフォト変換して出力するＰＩＯフォト変換回路、１０４は変換基盤１０２Ａ〜１０２Ｄの信号ＰＩＯ、基準電圧発生回路１０４の信号、ＰＩＯフォト変換回路の信号を入力とし、歪みセンサー１００Ａ〜１００Ｄの信号を温度センサー１０１Ａ〜１０１Ｄの信号で温度補正してデータ表示・設定用タッチパネルユニット１０６、ＲＳ４２２（カーレントループ変換回路）１０８及びソフトデバッグＥＡ８エミレータ接続端子１０９に出力する演算回路、１０７は計量データの出力回路である。
【００２３】
ここで、演算回路１０５のＣＰＵにはＨ８／３６１０９Ｇ（ルネサスエレクトロニクス社製）１チップマイコンを使用し、供給電圧を５Ｖとし、プログラム領域に１２８Ｋフラッシュメモリ、メモリ領域に５ＫＲＡＭメモリを使用することができる。演算回路１０５にはＲＳ２３２Ｃ（３ＣＨ）を内蔵し、ＰＩＯ１端子をロードセルアンプＡＤ変換基盤１０２Ａ〜１０２Ｄの出力に接続し、又ＰＩＯ２端子をフォト絶縁型ＰＩＯフォト変換回路１０３のＩＯポート（４入力、４出力）に接続している。
【００２４】
ロードセルアンプＡＤ変換基盤１０２Ａ〜１０２Ｄの供給電圧は＋−５Ｖとし、歪みセンサー供給電圧は１０Ｖとし、基準電圧はアンプ供給電源よりの帰還電源により約２．５Ｖでフルスケールになるように増幅・レベル変換する。ＡＤ変換基盤１０２Ａ〜１０２Ｄの変換サンプリングレート及び移動平均回数は操作パネルのシステム設定により変更可能とする。計量値のゼロ点・スパン調整はＡＤ変換入力値によりマイコンソフトで演算する。この値も操作パネルのシステム設定により変更可能とする。計量位置による重量補正や温度入力による温度補正もソフト演算する。この基本係数もシステム設定によって変更可能とする。
【００２５】
データ表示・設定用タッチパネル１０６と演算装置１０５との接続はＲＳ２３２Ｃの端子１を使用し、データ表示・設定用タッチパネルユニット１０６には、１）計量値及び設定値の表示、状態表示（異常信号の出力等）、２）歪みゲージ入力値及び温度入力値の表示、３）ＰＩＯ出力モニター表示、４）システム設定画面の表示の画面が表示される。
【００２６】
中装データーロガーへの計量値の送信は演算装置１０５のＲＳ２３２Ｃの端子２を使用し、ＲＳ４２２（カーレントループ変換回路）１０８で送信する。ＰＩＯ絶縁型変換回路への入力は盤面の押しボタンスイッチ、外部ＰＬＣ等によりインターロック信号入力として接続する。ＰＩＯ絶縁型変換回路の出力は、外部ＰＬＣや盤面のリレー等に接続され、計量値の定量停止、異常停止などの出力信号として使用する。
【００２７】
次に、歪みゲージ及び温度センサーからの信号の解析方法を説明すると、演算装置から歪みゲージ１５に約１０Ｖの直流電圧が印加されており、貯槽１１の底部１１Ａ外壁面には貯蔵物の重さに応じた大きさの歪みが発生しており、各歪みゲージ１５からは底部１１Ａの歪みの大きさに比例した直流電圧が出力され、演算装置に入力される。
【００２８】
他方、負荷を一定にした場合の歪みゲージ１５の出力信号の温度特性が予め求められており、演算装置では温度センサー１６からの出力信号に基づき各歪みゲージ１５の信号が温度による変化が生じないように処理された後、加算・平均化され、サイロ１０の貯蔵物の重さとして表示される。
【００２９】
図６は本例のサイロ計量装置が適用される焼却装置を示す。焼却装置は消石灰ホッパー１０、焼却炉２０、テーブルフィーダー２１、ブロア２２、ガス室２３、バグフィルター２４、ファン２５及び煙突２６から構成されている。
【００３０】
焼却炉２０の燃焼レベルが焼却温度や廃棄物の量に応じて求められ、その信号ａが演算制御系に与えられる。演算制御系では入力信号ａに応じて燃料弁制御モータが制御されるとともに空気ダンパー弁２７の開閉が制御され、ブロア２２によって燃料及び消石灰が焼却炉２０に投入され、これによってダイオキシン類の発生が抑制されながら廃棄物が焼却される。
【００３１】
焼却炉２０からの排ガスはガス室２３からバグフィルター２４に送られるが、バグフィルター２４の前段で消石灰が噴霧され、これによってもダイオキシン類の発生が抑制されて排ガスが浄化されて煙突２６から排出される。
【００３２】
また、消石灰ホッパー１０の変形例を図７に示すが、テーブルフィーダー２１及びブロア２２に代え、モーノポンプ２８によって構成することもできる。
【００３３】
なお、上記の例では消石灰サイロについて説明したが、砂、籾などサイロに適用することができる。
【符号の説明】
【００３４】
１０      サイロ
１１      貯槽
１１Ａ      底部
１１Ｂ      胴部
１１Ｃ      排出口
１２      架台
１２Ａ      フレーム
１２Ｂ      支柱
１５      歪みセンサー
１６      温度センサー
【図１】
0006537846.tif 000002
【図２】
0006537846.tif 000003
【図３】
0006537846.tif 000004
【図４】
0006537846.tif 000005
【図５】
0006537846.tif 000006
【図６】
0006537846.tif 000007
【図７】
0006537846.tif 000008